(57)【要約】      （修正有）【課題】数多くの位牌を一つの位牌にまとめることができる位牌を提供する。【解決手段】台座３の上に札板２を設けて構成する位牌１であって、札板２の裏面に周縁を残し、鉄製の薄板による蓋体９と嵌合する当接凹面１０を形成し、更に当接凹面１０外周の適宜箇所に複数の永久磁石１３が埋設されていると共に当接凹面１０内側に複数の中板１６を収納する収納部１１と離間して蓋体９下方端部を回動する押込凹部１２が形成されている。これにより、蓋体９端部を押込凹部１２に押し込むように押圧すると、凸箇所１５が支点となり蓋体９上方を開口することができる。【選択図】図７
0003177910.tif 000002
【実用新案登録請求の範囲】
【請求項１】
台座の上に札板を設けて構成する位牌であって、札板の裏面に周縁を残し、蓋体と嵌合する当接凹面を形成し、更に上記当接凹面内に複数の中板や過去帳等を収納する収納部と当該収納部と離間して上記蓋体下方端部を回動する押込凹部が形成されていることを特徴とする、位牌。
【請求項２】
当接凹面内に複数の中板や過去帳等を収納する収納部が札板の表裏共に開口し、当該札板の表面から上記収納部に収納された中板に記載された戒名が見えることを特徴とする、請求項１に記載の位牌。
【請求項３】
当接凹面外周の適宜箇所に複数の永久磁石が埋設されていると共に蓋体が金属製の薄板であることを特徴とする、請求項１乃至請求項２に記載の位牌。
【請求項４】
当接凹面外周の適宜箇所に複数の永久磁石が埋設されている一方、当該当接凹面に嵌合する蓋体の上記複数の永久磁石との当接箇所に永久磁石が埋設されていることを特徴とする、請求項１乃至請求項２に記載の位牌。
【考案の詳細な説明】
【技術分野】
【０００１】
本考案は、数多くの位牌を一つの位牌にまとめることができる新規な位牌に関するものである。
【背景技術】
【０００２】
従来、位牌については、葬儀の際に使用される白木の位牌、四十九日の忌明け後に仏壇に安置される本位牌、寺院で用いられる寺院位牌に分類される。ここで、本位牌について仕様で分類すると、白木位牌、漆を塗った塗り位牌、黒檀や紫檀で作られた唐木位牌がある。また、本位牌を形式で分類すると、台座に札板を組み付けた板位牌、戒名等を記す中板を複数枚収納するための箱胴が付いている回出位牌等がある。ここで、回出位牌の箱胴は、窓を設けた前板、後板、左右の側板と底板で、上面が開口した箱型状に構成されており、内部に複数枚に中板を収納し、最も前側の中板に記載された戒名が前板の窓から見えるようになっている。
【０００３】
更に、上記板位牌は、通常一人あるいは夫婦の場合は二人の戒名等が記された位牌であり、戒名を表側、俗名、没年月日、享年を裏側に記すものであり、回出位牌は、繰出位牌とも言われ前述のように複数の中板を収納するための箱胴が付いており、屋根や扉がついて華美な飾性が施されているものや、屋根や扉がつかないシンプルな箱型状のもの等がある。また、回出位牌に収納される上記中板の一枚一枚には一人の戒名と俗名等が記され、祥月命日や月命日などに前面に繰り出してお参りするものであるが、上記命日以外の通常日は一番前の中板に、何某家先祖代々之霊位という文字を記した中板を繰り出しておくことが一般的である。
【０００４】
ところで、近年の住宅建築の事情においては、畳敷きの仏間を設けることがほとんど皆無となっている。更に、住宅建築では洋風化が進み畳敷きの部屋自体を設けないと言ったケースも珍しいことではなくなった。こうした中でも、位牌は葬儀などの際には、故人の依代として、その後には追善法要などの祈りの対象として、先祖供養の中心的なシンボルであり続け、そうした位牌を安置するための仏壇の需要も年間４０万本から６０万本程度と推計されている。一方、上記位牌や仏壇も住宅建築の洋風化の動きに合わせて大きく形態的な変化が生じ、近代仏壇と称して宗教的装飾性が排除され一見収納家具でもあるかの如き形態の仏壇も出現するようになったが、全体的な特徴としては住宅事情を反映して小型化傾向となっていることから、安置できる位牌の数に限りがあり、新たな位牌が安置できない等の課題がある。更に、先祖が代々続く本家住宅等では、仏壇に祭られる位牌の数も相当数にのぼり、安置場所が確保できないといった課題や数代前の古い位牌は順次仏壇の奥に配列され、手前に現れることがないと言った課題も生じている。
【０００５】
上記記載のように位牌が多くなりすぎて仏壇に位牌が安置しきれない、また、仏壇自体の小型化により位牌の安置場所が当初から手狭で新たな位牌が安置できない等の課題については、上記回出位牌によって解決が図られてきた。即ち、前述のように回出位牌には、複数枚の中板を重ねて収納することができる箱胴が備えられており、上記箱胴の前板の窓から祥月命日や月命日に当たる故人の中板を前面に繰り出して祀るものであるので、数多くの位牌を一つの位牌にまとめることが可能である。
【０００６】
次に、回出位牌のより具体的な形態と中板の繰り出し方法について述べると、箱胴については前述の通りであるが、上記箱胴の下面は台座の上面に接着し、箱胴の上端に屋根の下面に形成した凹部を嵌合して、箱胴の上端に屋根を取り付けると共に、箱胴の上面開口を閉鎖する構成となっている。従って、上記箱胴内の後側の中板を一番前に配置替えする際には、箱胴の上端から屋根を取り外し、箱胴の出し入れ口を大きく斜め下方に傾け、収納してある複数の中板を当該箱胴の内側面を滑らすようにして各中板先端部を箱胴から突出させ、当該中板の重畳順序を変更するために特定の中板を掴み一番前に差し入れ、続いて、上記箱胴を垂直に戻した上で再度箱胴の上面に屋根下面に形成した凹部を嵌合して上記屋根を取り付けるようにして、特定の中板に書された戒名が箱胴の前板窓からのぞくように繰り出す方法によっている。
【０００７】
しかしながら、上記従来の回出位牌においては、箱胴の上端と屋根下面の凹部の嵌合状態がきついと、屋根の取り外しと取り付けが困難になり、逆にゆるいと、屋根が落ちやすくなり、屋根が落ちて欠損するなどの支障があった。そこで、この課題を解決する新たな回出位牌として、実開平５−８６２７９号の繰出位牌や実開平７−３０８６５号の繰出位牌等が案出されている。ここで、実開平５−８６２７９号による繰出位牌の要旨について触れると、箱胴に後板を固定せずに箱胴の後面を開放し、後板の左右の各側面にそれぞれ係合軸を上部位置に突設し、箱胴の左右の各側板の内面にそれぞれ係合溝を上部位置に形成し、箱胴の左右の各側板内面の係合溝に、それぞれ、後板の左右の各側面の係合軸を挿入し、箱胴の開放後面に後板を配置して、箱胴の開放後面を閉鎖し、後板の下部を後上方に回動すると、箱胴の後面が開放して箱胴内の中板が箱胴の開放後面から取出可能になる構成にしたものであった。以上のような構成にすれば、箱胴からの中板の取出しに際して箱胴を大きく斜め下方に傾けることなく取り出すことはできるが、同考案の明細書中の実施例にも記載があるように、後板を後上方に回動するために後板の後面に摘みを設ける等の必要があり、繰出位牌の後面ではあるが、突設した摘みを設けることは先祖供養のシンボルとしての位牌において品位を大きく低下させる造形と言わなければならない。更に、実開平７−３０８６５号による繰出位牌の要旨についても触れると、屋根の下端に引き上げ片の上端を取り付け、箱胴内に挿入される引き上げ片の下端に箱胴内に挿入された中板または過去帳が載架する載架部を設け、屋根を箱胴から取り外して持ち上げると、箱胴内に挿入されて引き上げ片の載架部に載架した中板または過去帳が引き上げられて出し入れ口から突出する構成にし、出し入れ口から突出した引き上げ片を変形可能にして屋根を中板または過去帳の上方位置から退避可能にしたものであった。以上のような構成にすれば、箱胴からの中板または過去帳の取り出しに際しても箱胴を大きく斜め下方に傾けることなく取り出すことができるが、同考案の明細書中の実施例に記載があるように、引き上げ片は帯状の弾性のある湾曲可能な合成樹脂板とされ、この場合も先祖供養のシンボルとしての位牌において、違和感のある素材と技術的手段であると言わなければならない。
【特許文献１】実開平５−８６２７９号公報
【特許文献２】実開平７−３０８６５号公報
【考案の開示】
【考案が解決しようとする課題】
【０００８】
上記従来の回出位牌における繰り出し方法では、故人の依代でありまた祈りの対象とされる位牌を斜め下方に傾けるという所作を伴うものであり、宗教的な観点から抵抗感があるという課題がある。また、上記箱胴に取着される屋根についても微細な彫刻等が施されている場合も多く、箱胴との取着と取り外しを繰り返す中で屋根落下による破損や彫刻部分欠損等の不具合が生じるという課題もあった。更に、上記背景技術に記載したように、従来の繰出位牌における上記課題を解消しようとした実開平５−８６２７９号や実開平７−３０８６５号の繰出位牌においても前述したような課題があった。そこで、本考案に係る位牌は、上記背景技術に記載される従来技術の課題等に鑑み成されたものであり、数多くの位牌を一つの位牌にまとめることができると共に位牌内部に収納した中板の重畳順序を変更するに当たり当該位牌を下方に傾けることなく且つ造形的にも違和感を感じることがない、新規な位牌を提供することを目的とする。
【課題を解決するための手段】
【０００９】
上記目的を達成するため、本考案に係る位牌は、台座の上に札板を設けて構成する位牌であって、札板の裏面に周縁を残し、蓋体と嵌合する当接凹面を形成し、更に上記当接凹面内に複数の中板や過去帳等を収納する収納部と当該収納部と離間して上記蓋体下方端部を回動する押込凹部が形成されていることを要旨するものである。
【００１０】
更に、本考案に係る位牌は、当接凹面内に複数の中板や過去帳等を収納する収納部が札板の表裏共に開口し、当該札板の表面から上記収納部に収納された中板に記載された戒名が見えるように構成することができる。
【００１１】
次に、本考案に係る位牌においては、当接凹面外周の適宜箇所に複数の永久磁石が埋設されていると共に蓋体が金属製の薄板とすることができる。
【００１２】
更にまた、本考案に係る位牌においては、当接凹面外周の適宜箇所に複数の永久磁石が埋設されている一方、当該当接凹面に嵌合する蓋体の上記複数の永久磁石との当接箇所に永久磁石が埋設されたものとすることもできる。
【考案の効果】
【００１３】
本考案に係る位牌は、前述のような構成によるものであるから、個々の位牌に記載された戒名や俗名、没年月日、享年を個別の中板に記し、これらを畳重して札板に設けられた収納部に収納することができるので、小型の仏壇や仏壇の手狭な場所であっても安置することができるという効果がある。
【００１４】
続いて、本考案に係る位牌によれば、従来の回出位牌のように収納されている中板の畳重順序を変更する際に、大きく斜め下方に傾けることなく、直立状態のまま札板裏面の蓋体下方端部を押圧することで、当該蓋体端部が押込凹部に押し込まれると共に上記収納部と当該押込凹部間の離間により形成される凸箇所が支点となり上記蓋体上方が開口し、容易に中板を取り出すことができるという効果もある。
【００１５】
更にまた、本考案に係る位牌は、蓋体の嵌合を解くための摘み等を設けるものではなく、従来の板位牌の外観形状と異なるところがないから、先祖供養のシンボルとしての位牌における品位を保持できるという効果もある。
【考案を実施するための最良の形態】
【００１６】
台座の上に札板を設けて構成する位牌において、札板の裏面に周縁を残し、蓋体と嵌合する当接凹面を形成し、更に上記当接凹面内に複数の中板や過去帳等を収納する収納部と当該収納部と離間して上記蓋体下方端部を回動する押込凹部を形成する構成により、直立状態のまま札板裏面の蓋体下方端部を押圧することで、当該蓋体端部が押込凹部に押し込まれると共に上記収納部と当該押込凹部間の離間により形成される凸箇所が支点となり上記蓋体上方が開口し、容易に中板を取り出すことができる。これにより、数多くの位牌を一つの位牌にまとめることができると共に位牌内部に収納した中板の重畳順序を変更するに当たり当該位牌を下方に傾けることなく且つ造形的にも違和感を感じることがない位牌を提供するという目的が達成できる。
【実施例１】
【００１７】
先ず、図１は本考案に係る位牌の正面図。図２は本考案に係る位牌の右側面図である。図示のように、本考案に係る位牌１の構成は、札板２及び台座３から構成されるものであり、これらの外観形状は従来の板位牌の外観形状と全く同一である。また、ここで上記台座３については、一の板４、上返花５、ナス座６、下返花７、框８から構成されている。一方、後述するものとするが、上記札板２の下方にはホゾ棒が一体的に形成されていて、当該ホゾ棒に対応したホゾ孔が台座３の上記各構成部材に形成されており、上記ホゾ棒を当該ホゾ孔に嵌入することにより、札板２と台座３が係着する構成となっている。
【００１８】
続いて、図３は本考案に係る位牌の背面図。図４は本考案に係る位牌における蓋体の正面図である。図３に示すように、本考案に係る位牌１の札板２の裏面は、周縁を残して形成された当接凹面に対して蓋体９が嵌合して、後述する収納部と押込凹部を封鎖している。ここで、蓋体９は鉄製の薄板から形成されたものであり、位牌１と同色の塗料によって塗装が施されたものである。
【００１９】
一方、図５は、本考案に係る位牌の蓋体を取り除いた際の背面図であり、図６は図３のＡ−Ａ断面図である。図５、図６に示すように、本考案に係る札板２の裏面は、周縁が残されて蓋体９と嵌合する当接凹部１０が形成され、更に、収納部１１と押込凹部１２が形成されている。また、前記当接凹面１０内においては、上方の１箇所及び下方の２箇所に永久磁石１３が埋設されている。また、前述の如く札板２と一体的に形成されているホゾ棒１４は台座３の下方框８まで嵌入している。
【００２０】
更にまた、図７は本考案に係る位牌における収納部の閉鎖を解く際の断面図である。図示のように、直立状態のまま札板２裏面の蓋体９下方端部を押圧することで、蓋体９端部が押込凹部１２に押し込まれると共に収納部１１と押込凹部１２間の離間により形成される凸箇所１５が支点となり蓋体９上方を開口することができる。ここで、上記収納部１１に収納する物については、限定するものではないが、図７においては畳重された５枚の中板１６が収納されている。
【００２１】
続いてまた、図８は本考案に係る別の位牌における収納部の閉鎖を解く際の断面図である。図示のように、本考案に係る別の位牌１７は、札板２の表裏共に開口し札板２の表面から収納部１１に収納された中板１６に記載された戒名が表側から見えるように窓１８が形成されたものである。一方、蓋体１９は木製の薄板であり蓋体１９が札板２の裏面で嵌合した際、当接凹面１０に埋設されている永久磁石１３と当接する箇所に永久磁石１３が埋設され、当該両永久磁石１３が引き合い蓋体１９が不用意に札板２から落下しない構成となっている。また、蓋体１９における収納部１１の閉鎖を解く手段については、図示の通りであり、図７に基づく説明の通りである。
【産業上の利用可能性】
【００２２】
以上のように構成される本考案に係る位牌は、蓋体の嵌合を解くための摘み等を設けるものではなく、従来の板位牌の外観形状と異なるところがないから、先祖供養のシンボルとしての位牌における品位を保持できるという特徴を有するものであり、その技術的手段は、その他の仏具類においても特定物を収納する際の収納要素の蓋体として良好に応用することがきるものであり、その用途は広い。
【図面の簡単な説明】
【００２３】
【図１】本考案に係る位牌の正面図。
【図２】本考案に係る位牌の右側面図。
【図３】本考案に係る位牌の背面図。
【図４】本考案に係る位牌における蓋体の正面図。
【図５】本考案に係る位牌の蓋体を取り除いた際の背面図。
【図６】図３のＡ−Ａ断面図。
【図７】本考案に係る位牌における収納部の閉鎖を解く際の断面図。
【図８】本考案に係る別の位牌における収納部の閉鎖を解く際の断面図。
【符号の説明】
【００２４】
１    本考案に係る位牌
２    札板
３    台座
４    一の板
５    上返花
６    ナス座
７    下返花
８    框
９、１９  蓋体
１０  当接凹面
１１  収納部
１２  押込凹部
１３  永久磁石
１４  ホゾ棒
１５  凸箇所
１６  中板
１７  本考案に係る別の位牌
１８  窓
【図１】
0003177910.tif 000003
【図２】
0003177910.tif 000004
【図３】
0003177910.tif 000005
【図４】
0003177910.tif 000006
【図５】
0003177910.tif 000007
【図６】
0003177910.tif 000008
【図７】
0003177910.tif 000009
【図８】
0003177910.tif 000010